(57)【要約】【課題】自身の映像を他人に撮影されることを防止することができる。【解決手段】１台以上の端末装置と、撮影装置の撮影範囲の範囲内に位置する前記端末装置からの撮影契機に応じて、撮影を実行する前記撮影装置と、前記端末装置及び前記撮影装置を制御する制御装置とを有し、第１端末装置は、前記撮影範囲に移動したとき、前記撮影装置に撮影させる撮影権の付与を前記制御装置に要求し、前記制御装置は、前記第１端末装置以外の他の端末装置に前記撮影権を付与していない場合、前記第１端末装置に前記撮影権を付与する  撮影システム。【選択図】  図１２
2019062310.tif 000002
【特許請求の範囲】
【請求項１】
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有し、
第１端末装置は、前記撮影範囲に移動したとき、前記撮影装置に撮影させる撮影権の付与を前記制御装置に要求し、
前記制御装置は、前記第１端末装置以外の他の端末装置に前記撮影権を付与していない場合、前記第１端末装置に前記撮影権を付与する
撮影システム。
【請求項２】
前記制御装置は、前記他の端末装置に前記撮影権を付与している場合、前記第１端末装置を前記撮影権の付与待ち順序を示す撮影権待ちリストに記憶し、前記撮影権を付与された前記他の端末装置の前記撮影権が消失したとき、前記撮影権待ちリストに応じた端末装置に前記撮影権を付与する
請求項１記載の撮影システム。
【請求項３】
前記端末装置は、前記撮影範囲の範囲外に移動したことを検出したとき、前記撮影の終了を前記制御装置に通知し、
前記制御装置は、前記撮影の終了の通知に応答し、前記端末装置の前記撮影権を消失させる
請求項２記載の撮影システム。
【請求項４】
前記制御装置は、１台の端末装置に前記撮影権を付与する独占撮影を行う独占撮影期間と、複数台の端末装置に前記撮影権を付与してもよい非独占撮影を行う非独占撮影期間とを設定し、前記独占撮影の前記撮影権の付与待ち順序を示す独占待ちリストと、前記非独占撮影の前記撮影権の付与待ち順序を示す非独占待ちリストとを管理し、
前記第１端末装置は、前記要求する前記撮影権が、前記独占撮影期間における撮影権か、前記非独占撮影期間における撮影権かを通知し、
前記制御装置は、前記第１端末装置の要求する前記撮影権が前記独占撮影における撮影権である場合、前記独占待ちリストに前記第１端末装置を記憶し、前記第１端末装置の要求する前記撮影権が前記非独占撮影における撮影権である場合、前記非独占待ちリストに前記第１端末装置を記憶し、前記独占撮影期間においては前記独占待ちリストに応じた端末装置に前記撮影権を付与し、前記非独占撮影期間においては前記非独占待ちリストに応じた端末装置に前記撮影権を付与する
請求項１記載の撮影システム。
【請求項５】
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有する撮影システムにおける制御装置であって、
前記撮影装置に撮影させる撮影権を管理する管理部と、
前記端末装置から前記撮影権の付与の要求を受信する受信部と、
前記要求を受信したとき、前記端末装置以外の他の端末装置に前記撮影権を付与していない場合、前記端末装置に前記撮影権を付与する制御部とを有する
制御装置。
【請求項６】
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有する撮影システムにおける撮影方法であって、
第１端末装置は、前記撮影範囲に移動したとき、前記撮影装置に撮影させる撮影権の付与を前記制御装置に要求し、
前記制御装置は、前記第１端末装置以外の他の端末装置に前記撮影権を付与していない場合、前記第１端末装置に前記撮影権を付与する
撮影方法。
【発明の詳細な説明】
【技術分野】
【０００１】
本発明は、撮影システム、制御装置、及び撮影方法に関する。
【背景技術】
【０００２】
近年、様々な物がインターネットと接続するＩｏＴ（Internet of Things）が普及してきている。ＩｏＴの普及に伴い、個人の生活の記録をデジタルデータで取得し、記録するライフログが注目されている。
【０００３】
ライフログは、例えば、旅行や行楽などの活動情報などを記録する場合がある。この場合、例えば、観光地や、スポーツやコンサートなどのイベントに参加している個人の写真を、ライフログとして記憶する。
【０００４】
個人の写真の撮影に関する技術は、以下の特許文献１，２に記載されている。
【先行技術文献】
【特許文献】
【０００５】
【特許文献１】特開2004-64424号公報
【特許文献２】特開2016-6952号公報
【発明の概要】
【発明が解決しようとする課題】
【０００６】
しかし、供用カメラを利用してユーザの写真を撮影する場合、例えば、撮影ポイントに存在するユーザの写真を、他のユーザにも撮影されてしまう場合がある。撮影された写真には、ユーザがいた場所や時間を示す個人情報が含まれるため、ユーザによっては、他人に撮影されることを望まない場合がある。
【０００７】
そこで、一開示は、自身の映像を他人に撮影されることを防止する撮影システム、制御装置、及び撮影方法を提供する。
【課題を解決するための手段】
【０００８】
一開示によると、１台以上の端末装置と、撮影装置の撮影範囲の範囲内に位置する前記端末装置からの撮影契機に応じて、撮影を実行する前記撮影装置と、前記端末装置及び前記撮影装置を制御する制御装置とを有し、第１端末装置は、前記撮影範囲に移動したとき、前記撮影装置に撮影させる撮影権の付与を前記制御装置に要求し、前記制御装置は、前記第１端末装置以外の他の端末装置に前記撮影権を付与していない場合、前記第１端末装置に前記撮影権を付与する。
【発明の効果】
【０００９】
一開示は、自身の映像を他人に撮影されることを防止することができる。
【図面の簡単な説明】
【００１０】
【図１】図１は、撮影システム１０の構成例を示す図である。
【図２】図２は、撮影システム１０における撮影の例を示す図である。
【図３】図３は、管理サーバ３００の構成例を示す図である。
【図４】図４は、端末装置１００の構成例を示す図である。
【図５】図５は、撮影装置２００の構成例を示す図である。
【図６】図６は、撮影システム１０における撮影初期処理のシーケンスの例を示す図である。
【図７】図７は、ビーコン検出処理Ｓ１００の処理フローチャートの例を示す図である。
【図８】図８は、撮影情報要求受信処理Ｓ１０３の処理フローチャートの例を示す図である。
【図９】図９は、撮影モード判定処理Ｓ１０４の処理フローチャートの例を示す図である。
【図１０】図１０は、手動撮影モード処理のシーケンスの例を示す図である。
【図１１】図１１は、サーバ側手動撮影処理Ｓ２００の処理フローチャートの例を示す図である。
【図１２】図１２は、撮影権管理処理Ｓ２３０の処理フローチャートの例を示す図である。
【図１３】図１３は、手動撮影制御処理Ｓ２３１の処理フローチャートの例を示す図である。
【図１４】図１４は、撮影権管理テーブル３２４の例を示す図である。
【図１５】図１５は、端末側手動撮影処理Ｓ２１０の処理フローチャートの例を示す図である。
【図１６】図１６は、端末側プレビュー処理Ｓ２１１の処理フローチャートの例を示す図である。
【図１７】図１７は、ボタン制御処理Ｓ２１２の処理フローチャートの例を示す図である。
【図１８】図１８は、ビーコン監視処理Ｓ２１３の処理フローチャートの例を示す図である。
【図１９】図１９は、撮影停止指示待ち処理Ｓ１２４の処理フローチャートの例を示す図である。
【図２０】図２０は、ビーコン監視処理Ｓ２１３による、手動撮影モードの終了処理の例を示す図である。
【図２１】図２１は、撮影タイマ満了による、手動撮影モードの終了処理の例を示す図である。
【図２２】図２２は、手動撮影モード処理のシーケンスの例を示す図である。
【図２３】図２３は、撮影権管理テーブル３２４の例を示す図である。
【図２４】図２４は、撮影待ち要求確認処理Ｓ２１５の処理フローチャートの例を示す図である。
【図２５】図２５は、手動撮影モード処理のシーケンスの例を示す図である。
【図２６】図２６は、自動撮影モード処理のシーケンスの例を示す図である。
【図２７】図２７は、サーバ側自動撮影処理Ｓ３００の処理フローチャートの例を示す図である。
【図２８】図２８は、端末側自動撮影処理Ｓ３１０の処理フローチャートの例を示す図である。
【図２９】図２９は、自動撮影タイミング検出処理Ｓ３１１の処理フローチャートの例を示す図である。
【図３０】図３０は、自動撮影モードの終了処理の例を示す図である。
【図３１】図３１は、撮影権管理テーブル３２４の例を示す図である。
【図３２】図３２は、第２の実施の形態における撮影待ち要求確認処理Ｓ３１５の処理フローチャートの例を示す図である。
【図３３】図３３は、第２の実施の形態における撮影権管理処理Ｓ３３０の処理フローチャートの例を示す図である。
【図３４】図３４は、撮影権管理テーブル３２４の例を示す図である。
【図３５】図３５は、撮影時間の例を示す図である。
【発明を実施するための形態】
【００１１】
［第１の実施の形態］
第１の実施の形態について説明する。
【００１２】
＜撮影システムの構成例＞
図１は、撮影システム１０の構成例を示す図である。撮影システム１０は、端末装置１００、撮影装置２００−１，２、管理サーバ３００、ビーコン４００−１，２、通信ネットワーク５００、及び基地局装置６００を有する。撮影システム１０は、端末装置１００がビーコン４００−１，２を検出し、検出したビーコンに対応する撮影装置２００−１，２で端末装置１００を有するユーザを撮影するシステムである。
【００１３】
端末装置１００は、移動体通信端末であり、例えば、端末装置の所有者（ユーザ）の移動に伴い移動するスマートフォンやタブレット端末である。端末装置１００は、基地局装置６００と無線接続し、基地局装置６００を介して管理サーバ３００や撮影装置２００−１，２と通信を行う。端末装置１００は、ビーコン４００−１，２（以降、ビーコン４００と呼び場合がある）を検出すると、管理サーバ３００に、ビーコン４００を検出したことを通知する。なお、撮影システム１０は、端末装置１００を複数台有してもよく、この場合、複数の端末装置１００を、それぞれ端末装置１００−ｎ（ｎは整数）と表現する。
【００１４】
撮影装置２００−１，２（以降、撮影装置２００と呼ぶ場合がある）は、端末装置１００又は端末装置１００のユーザを撮影する装置であり、例えば、カメラを有する装置である。撮影装置２００は、管理サーバ３００又は端末装置１００の指示に従い、静止画（例えば、写真）や動画などの映像を撮影する。撮影装置２００は、撮影した映像のデータ（映像データ）を、端末装置１００と対応づけて保存する。また、撮影装置２００は、撮影した映像を、端末装置１００と対応づけて、管理サーバ３００に送信してもよい。なお、撮影装置２００は、ビーコン４００と対応しており、図１においては、撮影装置２００−１はビーコン４００−１と、撮影装置２００−２はビーコン４００−２と、それぞれ対応する。なお、撮影装置２００は、複数のビーコン４００と対応してもよい。また、複数の撮影装置２００が１台のビーコンに対応してもよい。さらに、複数の撮影装置２００に、複数のビーコン４００が対応してもよい。また、撮影システム１０は、撮影装置２００を、３台以上有してもよい。
【００１５】
管理サーバ３００は、撮影装置２００を制御し、端末装置１００の撮影権限や撮影した映像を管理するサーバであり、例えば、コンピュータである。管理サーバ３００は、端末装置１００からビーコンを検出したことを通知されると、端末装置１００とビーコン４００との対応関係を判定する。
【００１６】
また、管理サーバ３００は、撮影権を管理する。撮影権は、手動撮影モードで付与される、端末装置１００が撮影をする権限であり、撮影権を持つ端末装置１００は、プレビュー画面を表示部に表示したり、ユーザが押下する撮影ボタンを表示したりすることができる。一方、撮影権を持たない端末装置１００は、プレビュー画面を表示したり、撮影ボタンを表示したりすることができない。
【００１７】
端末装置１００とビーコン４００の対応関係は、例えば、端末装置１００（又はユーザ）と、撮影を許可されたビーコン４００あるいはビーコン４００に対応する撮影装置２００との対応関係を示す。端末装置１００は、例えば、撮影システム１０の提供者と契約することで、撮影装置２００を使用した撮影を行うことができる。なお、撮影システム１０は、ビーコン４００を３台以上有してもよい。
【００１８】
また、管理サーバ３００は、端末装置１００がビーコン４００に対応する撮影装置２００での撮影を許可されている場合、端末装置１００に許可されている撮影モードを判定する。撮影モードは、例えば、自動撮影モード、手動撮影モード、及び連続撮影モードである。各撮影モードの詳細については後述する。管理サーバ３００は、許可された撮影モードに応じて、撮影装置２００を使用して端末装置１００（又はユーザ）を撮影する。
【００１９】
管理サーバ３００と撮影装置２００は、有線又は無線で、通信ネットワーク５００と接続する。通信ネットワーク５００は、例えば、インターネットである。
【００２０】
ビーコン４００は、所定の強度の信号（ビーコン信号）を送信する無線装置であり、例えば、ＢｌｕｅＴｏｏｔｈ（登録商標）信号や赤外線信号を送信する。ビーコン４００は、送信する信号が所定の電力以上で到達する範囲（以降、通信エリアと呼ぶ場合がある）を有する。図１において、ビーコン４００−１は通信エリアＡ１を、ビーコン４００−２は通信エリアＡ２を、それぞれ有する。
【００２１】
基地局装置６００は、端末装置１００と無線接続し、他の通信装置との通信を中継する装置である。基地局装置６００は、例えば、ＬＴＥ（Long Term Evolution）におけるｅＮｏｄｅＢ（evolved Node B）や、無線ＬＡＮ（Local Area Network）におけるアクセスポイントである。
【００２２】
図２は、撮影システム１０における撮影の例を示す図である。端末装置１００の所有者（ユーザ）１０００は、端末装置１００を所持しながら、ユーザ１０００−ａからユーザ１０００−ｂに移動する（矢印Ｍ）。すなわち、端末装置１００は、端末装置１００−ａから端末装置１００−ｂに移動する。端末装置１００−ｂは、ビーコン４００−１の通信エリアＡ１内に移動すると、ビーコン４００−１の送信する信号を所定電力以上で受信し、ビーコン４００−１を検出する。そして、管理サーバ３００は、端末装置１００−ｂがビーコン４００−１を検出したことを通知されると、ビーコン４００−１に対応する撮影装置２００−１を使用して、許可された撮影モードに応じた撮影を行う。
【００２３】
なお、端末装置１００は、撮影モードが手動撮影モードである場合、撮影権が与えられたことを管理サーバ３００から通知されるまで、プレビュー画面や撮影ボタンを表示しない。
【００２４】
撮影した映像（映像データ）は、端末装置１００と対応づけて記憶（保存）される。映像の保存は、撮影装置２００が行ってもよいし、撮影装置２００から映像を取得した管理サーバ３００が行ってもよい。また、管理サーバ３００が撮影装置２００から映像を取得するタイミングは、撮影装置２００が撮影を行うごとであってもよいし、ある撮影モードでの一連の撮影が終了した時であってもよい。
【００２５】
＜管理サーバの構成例＞
図３は、管理サーバ３００の構成例を示す図である。管理サーバ（制御装置）３００は、例えば、コンピュータであり、ＣＰＵ（Central Processing Unit）３１０、ストレージ３２０、メモリ３３０、及びＮＩＣ（Network Interface Card）３４０を有する。
【００２６】
ストレージ３２０は、プログラムやデータを記憶する、フラッシュメモリ、ＨＤＤ（Hard Disk Drive）、又はＳＳＤ（Solid State Drive）などの補助記憶装置である。ストレージ３２０は、撮影情報要求受信プログラム３２１、撮影情報テーブル３２２、撮影データテーブル３２３、及び撮影権管理テーブル２３４を有する。
【００２７】
撮影情報テーブル３２２は、例えば、許可された撮影モード、ビーコン４００、撮影装置２００を、端末装置１００ごとに記憶するテーブルである。管理サーバ３００は、撮影情報テーブル３２２を参照し、端末装置１００の撮影許可の有無や、撮影モードを判定する。
【００２８】
撮影データテーブル３２３は、例えば、撮影装置２００が撮影した映像を、端末装置１００ごとに記憶するテーブルである。
【００２９】
撮影権管理テーブル２３４は、端末装置１００に対する撮影権及び撮影権の取得待ち順番（付与待ち順序）を管理するテーブル（撮影権待ちリスト）である。
【００３０】
メモリ３３０は、ストレージ３２０に記憶されているプログラムをロードする領域である。また、メモリ３３０、プログラムがデータを記憶する領域としても使用される。
【００３１】
ＮＩＣ３４０は、通信ネットワーク５００と接続し、端末装置１００や撮影装置２００と通信を行う装置であり、例えば、ネットワークインターフェースカードである。また、ＮＩＣ３４０は、例えば、ハブなどを介して、通信ネットワーク５００と接続してもよい。
【００３２】
ＣＰＵ３１０は、ストレージ３２０に記憶されているプログラムを、メモリ３３０にロードし、ロードしたプログラムを実行し、各処理を実現するプロセッサである。
【００３３】
ＣＰＵ３１０は、撮影情報要求受信プログラム３２１を実行することで、モード判定部、撮影制御部、データ記憶部を構築し、撮影情報要求受信処理を行う。撮影情報要求受信処理は、端末装置１００がビーコン４００を検出したときに送信する撮影情報要求を受信する処理である。管理サーバ３００は、撮影情報要求受信処理において、端末装置１００に許可された撮影モードを判定し、撮影装置２００を使用して撮影モードに応じ撮影を行う。また、管理サーバ３００は、撮影情報要求受信処理において、撮影した映像を撮影装置２００から取得し、端末装置１００と対応づけ、内部メモリ、内部ハードディスク、又は外付けハードディスクに記憶してもよい。
【００３４】
また、ＣＰＵ３１０は、撮影情報要求受信プログラム３２１が有する撮影モード判定モジュール３２２１を実行することで、モード判定部を構築し、撮影モード判定処理を行う。撮影モード判定処理は、端末装置１００とビーコン４００に基づき、端末装置１００に許可された撮影モードを判定する処理である。管理サーバ３００は、撮影モード判定処理において、撮影情報テーブル３２２を参照し、端末装置１００の撮影モードを決定する。
【００３５】
また、ＣＰＵ３１０は、撮影情報要求受信プログラム３２１が有するサーバ側自動撮影モジュール３２２２を実行することで、撮影制御部を構築し、サーバ側自動撮影処理を行う。サーバ側自動撮影処理は、自動撮影モードでユーザ１０００を撮影する処理である。管理サーバ３００は、サーバ側自動撮影処理において、端末装置１００から撮影指示を受信すると、ユーザ１０００を撮影するよう対応する撮影装置２００を制御する。
【００３６】
また、ＣＰＵ３１０は、撮影情報要求受信プログラム３２１が有するサーバ側手動撮影モジュール３２２３を実行することで、撮影制御部を構築し、サーバ側自動撮影処理を行う。サーバ側自動撮影処理は、手動撮影モードでユーザ１０００を撮影する処理である。管理サーバ３００は、サーバ側手動撮影処理において、端末装置１００にプレビュー画像を送信し、端末装置１００から撮影指示を受信すると、ユーザ１０００を撮影するよう対応する撮影装置２００を制御する。
【００３７】
また、ＣＰＵ３１０は、撮影情報要求受信プログラム３２１が有する撮影権管理モジュール３２２４を実行することで、管理部を構築し、撮影権管理処理を行う。撮影権管理処理は、手動撮影モードにおいて、ある端末装置１００を撮影権の取得待ち（撮影権待ち）の端末装置として登録したり、ある端末装置１００が撮影権を取得する（付与される）まで監視したりする処理である。
【００３８】
また、ＣＰＵ３１０は、撮影情報要求受信プログラム３２１が有する撮影データ記憶モジュール３２２５を実行することで、データ記憶部を構築し、撮影データ記憶処理を行う。撮影データ記憶処理は、撮影した映像（映像データ）を撮影装置２００から取得し、記憶する処理である。
【００３９】
＜端末装置の構成例＞
図４は、端末装置１００の構成例を示す図である。端末装置１００は、例えば、移動体通信端末であり、ＣＰＵ１１０、ストレージ１２０、メモリ１３０、ＲＦ（Radio Frequency）回路１５０、及びタッチパネル１６０を有する。
【００４０】
ストレージ１２０は、プログラムやデータを記憶する、フラッシュメモリ、ＨＤＤ、又はＳＳＤなどの補助記憶装置である。ストレージ１２０は、ビーコン検出プログラム１２１及び撮影情報受信プログラム１２２を有する。
【００４１】
メモリ１３０は、ストレージ１２０に記憶されているプログラムをロードする領域である。また、メモリ１３０、プログラムがデータを記憶する領域としても使用される。
【００４２】
ＲＦ回路１５０は、基地局装置６００と無線接続し、通信ネットワーク５００を介して、管理サーバ３００や撮影装置２００と通信を行う装置である。端末装置１００は、例えば、ＲＦ回路１５０を介してパケットを送受信することで、他の装置との通信を実現する。
【００４３】
タッチパネル１６０は、端末装置１００の所有者（ユーザ）対して画像や文字を表示する液晶パネルや、ユーザのタッチした操作を検出する位置入力装置を組み合わせた装置である。タッチパネル１６０は、例えば、表示部として動作し、ＣＰＵ１１０が要求する画像や文字を表示する。また、タッチパネル１６０は、操作部として動作し、タッチパネル上に表示したボタンをユーザが押下したことを検出する。
【００４４】
ＣＰＵ１１０は、ストレージ１２０に記憶されているプログラムを、メモリ１３０にロードし、ロードしたプログラムを実行し、各処理を実現するプロセッサである。
【００４５】
ＣＰＵ１１０は、ビーコン検出プログラム１２１を実行することで、検出部を構築し、ビーコン検出処理を行う。ビーコン検出処理は、端末装置１００がビーコン４００の送信する信号を受信し、ビーコン４００を検出する処理である。
【００４６】
ＣＰＵ１１０は、撮影情報受信プログラム１２２を実行することで、受信部を構築し、撮影情報受信処理を行う。撮影情報受信処理は、管理サーバ３００から撮影情報を受信する処理である。端末装置１００は、撮影情報受信処理において、撮影情報に含まれる撮影モードを取得し、撮影モードに応じた処理を行う。
【００４７】
また、ＣＰＵ１１０は、撮影情報受信プログラム１２２が有する端末側自動撮影モジュール１２２１を実行することで、撮影処理部を構築し、端末側自動撮影処理を行う。端末側自動撮影処理は、撮影情報で自動撮影モードが指定された場合の撮影処理である。端末装置１００は、端末側自動撮影処理において、自動撮影閾値以上の電力でビーコン４００からの信号を受信すると、管理サーバ３００に撮影指示を送信する。
【００４８】
また、ＣＰＵ１１０は、撮影情報受信プログラム１２２が有する端末側手動撮影モジュール１２２２を実行することで、撮影処理部を構築し、端末側手動撮影処理を行う。端末側手動撮影処理は、撮影情報で手動撮影モードが指定された場合の撮影処理である。端末装置１００は、端末側手動撮影処理において、手動撮影開始指示を受信した後、撮影ボタンの制御、プレビューの表示を行う。端末装置１００は、端末側手動撮影処理において、撮影ボタンが押下されたことを検出すると、管理サーバ３００に撮影指示を送信する。
【００４９】
＜撮影装置の構成例＞
図５は、撮影装置２００の構成例を示す図である。撮影装置２００は、例えば、カメラ装置であり、ＣＰＵ２１０、ストレージ２２０、メモリ２３０、ＮＩＣ２４０、及びカメラ２６０を有する。
【００５０】
ストレージ２２０は、プログラムやデータを記憶する、フラッシュメモリ、ＨＤＤ、又はＳＳＤなどの補助記憶装置である。ストレージ２２０は、撮影指示受信プログラム２２１、プレビュー画像送信プログラム２２２、撮影データ送信プログラム２２３、及び撮影データテーブル２２４を有する。
【００５１】
メモリ２３０は、ストレージ２２０に記憶されているプログラムをロードする領域である。また、メモリ２３０、プログラムがデータを記憶する領域としても使用される。
【００５２】
ＮＩＣ２４０は、通信ネットワーク５００と接続し、端末装置１００や管理サーバ３００と通信を行う装置であり、例えば、ネットワークインターフェースカードである。また、ＮＩＣ２４０は、例えば、ハブなどを介して、通信ネットワーク５００と接続してもよい。
【００５３】
カメラ２６０は、撮影を行う装置である。撮影装置２００は、管理サーバ３００や端末装置１００から撮影指示又は連続撮影指示を受信すると、カメラ２６０を用いてユーザ１０００の映像を撮影する。
【００５４】
ＣＰＵ２１０は、ストレージ２２０に記憶されているプログラムを、メモリ２３０にロードし、ロードしたプログラムを実行し、各処理を実現するプロセッサである。
【００５５】
ＣＰＵ２１０は、撮影指示受信プログラム２２１を実行することで、撮影部を構築し、撮影指示受信処理を行う。撮影指示受信処理は、管理サーバ３００または端末装置１００から撮影指示を受信し、カメラ２６０を使用してユーザ１０００を撮影する処理である。
【００５６】
ＣＰＵ２１０は、プレビュー画像送信プログラム２２２を実行することで、プレビュー送信部を構築し、プレビュー画像送信処理を行う。プレビュー画像送信処理は、管理サーバ３００または端末装置１００からのプレビュー画面の送信開始の要求に応答し、定期的にプレビュー画像を端末装置１００に、管理サーバ３００経由で、送信する処理である。なお、プレビュー画像は、手動撮影モードにおける撮影映像と同じ画素数の画像であってもよいし、手動撮影モードにおける撮影映像よりも画素数を低下させた簡易的な画像であってもよい。
【００５７】
ＣＰＵ２１０は、撮影データ送信プログラム２２３を実行することで、データ送信部を構築し、撮影データ送信処理を行う。撮影データ送信処理は、管理サーバ３００または端末装置１００からの要求に応じて、又は撮影終了時に、撮影データを送信する処理である。
【００５８】
＜撮影処理＞
撮影システム１０における撮影処理について説明する。撮影処理は、撮影初期処理及び撮影実行処理を含む。撮影初期処理は、端末装置１００−１がビーコン４００−１を検出してから、撮影情報通知を受信するまでの処理である。撮影実行処理は、各撮影モードにおける撮影を実行する処理である。以下、処理毎に説明する。
【００５９】
＜１．撮影初期処理＞
図６は、撮影システム１０における撮影初期処理のシーケンスの例を示す図である。端末装置１００−１は、ビーコン検出処理を行う（Ｓ１００）。
【００６０】
図７は、ビーコン検出処理Ｓ１００の処理フローチャートの例を示す図である。端末装置１００は、ビーコン４００を検出するのを待ち受ける（Ｓ１００−１のＮｏ）。端末装置１００は、例えば、所定の電力以上でビーコン４００が送信する信号を受信した場合、ビーコン４００を検出したと判定する。
【００６１】
端末装置１００は、ビーコン４００を検出すると（Ｓ１００−１のＹｅｓ）、検出したビーコン４００は撮影サービスのビーコンか否かを判定する（Ｓ１００−２）。撮影サービスのビーコンとは、撮影システム１０が有するビーコン４００を示す。端末装置１００は、撮影サービスの対象となるビーコン４００の識別子の一覧を有する場合、当該一覧に基づきビーコン４００が撮影サービスの対象であるか否かを判定してもよい。
【００６２】
端末装置１００は、検出したビーコンが撮影サービスの対象外である場合（Ｓ１００−２のＮｏ）、再度ビーコンを検出するのを待ち受ける（Ｓ１００−１）。
【００６３】
一方、端末装置１００は、検出したビーコンが撮影サービスの対象である場合（Ｓ１００−２のＹｅｓ）、撮影情報要求を管理サーバ３００に送信する（Ｓ１００−３）。撮影情報要求は、端末装置１００及び検出したビーコン４００の識別子を含むメッセージであり、ビーコン４００を検出したことを示す受信通知である。なお、ビーコン４００の識別子は、例えば、ビーコン４００が送信するビーコン信号に含まれ、端末装置１００はビーコン４００の検出時にビーコン４００の識別子を取得する。
【００６４】
図６のシーケンスに戻り、端末装置１００−１は、ビーコン検出処理Ｓ１００において、ビーコン４００−１を検出すると（Ｓ１０１）、撮影情報要求を送信する（Ｓ１０２、図７のＳ１００−３）。管理サーバ３００は、撮影情報要求を受信すると、撮影情報要求受信処理を行う（Ｓ１０３）。
【００６５】
図８は、撮影情報要求受信処理Ｓ１０３の処理フローチャートの例を示す図である。管理サーバ３００は、撮影情報要求を受信するのを待ち受ける（Ｓ１０３−１のＮｏ）。管理サーバ３００は、撮影情報要求を受信すると（Ｓ１０３−１のＹｅｓ）、撮影モード判定処理を行う（Ｓ１０４）。撮影モード判定処理Ｓ１０４は、端末装置１００の撮影モードを判定する処理である。
【００６６】
図９は、撮影モード判定処理Ｓ１０４の処理フローチャートの例を示す図である。管理サーバ３００は、撮影情報要求に含まれる端末装置１００とビーコン４００の識別子を、撮影情報テーブル３２２から検索する（Ｓ１０４−１）。
【００６７】
管理サーバ３００は、検索した結果、端末装置１００とビーコン４００の組み合わせが存在しない場合（Ｓ１０４−２のＮｏ）、端末装置１００はビーコン４００に対応する撮影装置２００での撮影が許可されていないと判定し、撮影モードなしをリターンする（Ｓ１０４−３）。
【００６８】
一方、管理サーバ３００は、検索した結果、端末装置１００とビーコン４００の組み合わせが存在する場合（Ｓ１０４−２のＹｅｓ）、対応する撮影モードをリターンする（Ｓ１０４−４）。
【００６９】
図８に戻り、管理サーバ３００は、撮影モード判定処理Ｓ１０６において、撮影モードなしをリターンされている場合（Ｓ１０３−２のＹｅｓ）、処理を終了する。一方、管理サーバ３００は、撮影モード判定処理Ｓ１０６において、撮影モードなし以外をリターンされている場合（Ｓ１０３−２のＮｏ）、撮影モードを含む撮影情報通知を端末装置１００に送信する（Ｓ１０３−３）。
【００７０】
そして、管理サーバ３００は、撮影モードに応じた処理を行う（Ｓ１０３−４）。管理サーバ３００は、撮影モードが手動撮影モードである場合（Ｓ１０３−４の手動撮影モード）、サーバ側手動撮影処理を行う（Ｓ２００）。管理サーバ３００は、撮影モードが自動撮影モードである場合（Ｓ１０３−４の自動撮影モード）、サーバ側自動撮影処理を行う（Ｓ３００）。管理サーバ３００は、撮影モードが連続撮影モードである場合（Ｓ１０３−４の連続撮影モード）、サーバ側連続撮影処理を行う（Ｓ４００）。サーバ側手動撮影処理Ｓ２００、サーバ側自動撮影処理Ｓ３００、及びサーバ側連続撮影処理Ｓ４００については後述する。
【００７１】
図６のシーケンスに戻り、管理サーバ３００は、撮影情報要求受信処理Ｓ１０３において、撮影モード判定処理Ｓ１０４を行い、撮影情報通知を端末装置１００−１に送信する（Ｓ１０５、図８のＳ１０３−３）。
【００７２】
上述のように、端末装置１００−１は、ビーコン４００−１を検出すると、すなわち、ビーコン４００−１から所定距離内に移動すると、管理サーバ３００に撮影情報要求を送信する。これにより、管理サーバ３００は、端末装置１００−１がビーコン４００−１から所定距離内に移動したことを認識し、各撮影モードにおける撮影準備を行うことができる。
【００７３】
＜２．撮影実行処理＞
撮影実行処理は、撮影モードごとに異なる処理である。撮影実行処理は、例えば、自動撮影モード処理、手動撮影モード処理を含む。以下、撮影モードごとに処理を説明する。
【００７４】
＜２．１  手動撮影モード処理＞
手動撮影モード処理については、端末装置１００−１に対して撮影権待ちが発生しない場合のシーケンス、及び手動撮影モードの終了処理について説明する。また、手動撮影モード処理については、撮影権待ちが発生する場合について説明する。さらに、手動撮影モード処理については、端末装置１００−１が撮影待ちを許容せずに撮影を中止する場合についても説明する。
【００７５】
＜２．１．１  撮影権待ちが発生しない場合＞
図１０は、手動撮影モード処理のシーケンスの例を示す図である。手動撮影モードは、端末装置１００−１のユーザ１０００の操作に基づき、撮影を行う処理である。手動撮影モードにおいて、撮影タイミング（撮影契機）は、ユーザ１０００が決定する。
【００７６】
管理サーバ３００は、撮影モードを手動撮影モードと判定し、手動撮影モードを含む撮影情報通知を端末装置１００−１に送信する（Ｓ１０５）。管理サーバ３００は、撮影情報要求受信処理Ｓ１０３において、サーバ側手動撮影処理Ｓ２００を行う（図８のＳ１０３−４の手動撮影モード）。
【００７７】
図１１は、サーバ側手動撮影処理Ｓ２００の処理フローチャートの例を示す図である。管理サーバ３００は、撮影権の取得（付与）待ちの端末装置１００が存在するか否かを確認する（Ｓ２００−１）。管理サーバ３００は、撮影権の取得待ちの端末装置１００が存在するか否かを、例えば、撮影権管理テーブル３２４を参照し、確認する。
【００７８】
管理サーバ３００は、撮影権の取得待ちの端末装置１００が存在しない場合（Ｓ２００−１のＮｏ）、撮影権管理処理を行う（Ｓ２３０）。撮影権の取得待ちの端末装置１００が存在しないということは、撮影情報要求の送信元の端末装置１００（以降、当該端末装置と呼ぶ場合がある）に、直ちに撮影権を付与することができる状態にあるということである。
【００７９】
一方、  管理サーバ３００は、撮影権の取得待ちの端末装置１００が存在する場合（Ｓ２００−１のＹｅｓ）、撮影待ち要求確認を、当該端末装置１００に送信する（Ｓ２００−２）。撮影待ち要求確認は、端末装置１００に対して送信するメッセージであり、端末装置１００（又は端末装置１００のユーザ）に対して、撮影権を取得する（管理サーバ３００に付与される）まで待つか、又は撮影権取得を待たずに撮影を中止するかを確認するメッセージである。撮影待ち要求確認は、例えば、端末装置１００が撮影権を取得するまでの時間（待ち時間）が含まれる。
【００８０】
管理サーバ３００は、撮影待ち要求確認応答を受信するのを待ち受ける（Ｓ２００−３のＮｏ）。管理サーバ３００は、撮影待ち要求確認応答を受信すると（Ｓ２００−３のＹｅｓ）、撮影待ち要求確認応答の応答内容を確認する（Ｓ２００−４）。管理サーバ３００は、撮影待ち要求確認応答の応答内容が撮影待ち要求ありの場合（撮影権を取得するのを待って撮影するという端末装置１００のユーザの意図がある場合）（Ｓ２００−４のＮｏ）、撮影権管理処理を行う（Ｓ２３０）。
【００８１】
一方、管理サーバ３００は、撮影待ち要求確認応答の応答内容が撮影待ち要求なしの場合（撮影を中止するという端末装置１００のユーザの意図がある場合）（Ｓ２００−４のＹｅｓ）、処理を終了する。
【００８２】
管理サーバ３００は、撮影権の取得待ちがない場合（Ｓ２００−１のＮｏ）及び撮影待ち要求確認応答が撮影待ち要求ありの場合（Ｓ２００−４のＮｏ）、撮影権管理処理を行い（Ｓ２３０）、さらに手動撮影制御処理を行い（Ｓ２３１）、処理を終了する。
【００８３】
図１２は、撮影権管理処理Ｓ２３０の処理フローチャートの例を示す図である。管理サーバ３００は、当該端末装置１００を、撮影権待ち順位の最後尾に登録する（Ｓ２３０−１）。管理サーバ３００は、撮影権の取得待ちの登録において、例えば、撮影権管理テーブル３２４の撮影権待ち順位の最下位に登録されている端末装置１００の１つ下の順位に、当該端末装置１００を追加する。
【００８４】
管理サーバ３００は、当該端末装置１００に撮影権が付与されるのを待ち受ける（Ｓ２３０−２のＮｏ）。管理サーバ３００は、撮影権管理テーブル３２４を監視し、当該端末装置１００が撮影権ありとなるのを待ち受ける。そして、管理サーバ３００は、当該端末装置１００に撮影権が付与されたことを検出すると（Ｓ２３０−２のＹｅｓ）、当該端末装置１００に撮影開始通知を送信し（Ｓ２３０−３）、処理を終了する。撮影開始通知は、端末装置１００に撮影権が付与されている時間（撮影可能な時間、撮影時間）を含む。
【００８５】
図１３は、手動撮影制御処理Ｓ２３１の処理フローチャートの例を示す図である。管理サーバ３００は、プレビュー開始通知を対応する撮影装置２００に送信する（Ｓ２３１−１）。そして、管理サーバ３００は、撮影タイマを起動する。撮影タイマは、撮影権を有する端末装置１００に手動撮影が許可される時間を測定するタイマである。端末装置１００は、撮影タイマが満了するまで、撮影権を有し、手動撮影を行うことができる。
【００８６】
管理サーバ３００は、撮影タイマが満了しているか否かを確認する（Ｓ２３１−１）。管理サーバ３００は、撮影タイマが満了していない場合（Ｓ２３１−１のＮｏ）、メッセージを受信したか否かを確認する（Ｓ２３１−４）。管理サーバ３００は、メッセージを受信していない場合（Ｓ２３１−４のＮｏ）、再度、撮影タイマが満了しているか否かの確認を行う（Ｓ２３１−１）。管理サーバ３００は、上述したように、撮影タイマが満了するまでの間、メッセージを受信するのを待ち受ける。
【００８７】
管理サーバ３００は、メッセージを受信すると（Ｓ２３１−４のＹｅｓ）、受信したメッセージの種別を確認する（Ｓ２３１−５）。
【００８８】
管理サーバ３００は、プレビュー画像通知を受信した場合（Ｓ２３１−５のプレビュー画像通知）、プレビュー通知を対応する端末装置（当該端末装置）に送信し（Ｓ２３１−６）、再度、撮影タイマの満了（Ｓ２３１−３）及びメッセージ受信（Ｓ２３１−４）を待ち受ける。
【００８９】
また、管理サーバ３００は、撮影指示を受信した場合（Ｓ２３１−５の撮影指示）、撮影指示を対応する撮影装置２００に送信し（Ｓ２３１−７）、再度、撮影タイマの満了（Ｓ２３１−３）及びメッセージ受信（Ｓ２３１−４）を待ち受ける。
【００９０】
さらに、管理サーバ３００は、撮影終了通知を受信した場合（Ｓ２３１−５の撮影終了通知）、撮影権管理テーブル３２４を更新し（Ｓ２３１−９）、プレビュー送信停止通知を対応する撮影装置２００に送信し（Ｓ２３１−１０）、処理を終了する。管理サーバ３００は、更新処理Ｓ２３１−９において、当該端末装置１００を撮影権管理テーブル３２４から削除し、その他の端末装置１００の撮影権待ちの順位を１つ繰り上げる。当該端末装置１００は、撮影権管理テーブル３２４から削除されることで、撮影権を消失する。
【００９１】
管理サーバ３００は、撮影タイマが満了すると（Ｓ２３１−３のＹｅｓ）、対応する端末装置（当該端末装置）に撮影終了指示を送信する（Ｓ２３１−８）。
【００９２】
図１０のシーケンスに戻り、管理サーバ３００は、サーバ側手動撮影処理Ｓ２００において、撮影権待ちの端末装置１００があるか否かを確認する（図１１のＳ２００−１）。図１０のシーケンスにおいては、撮影権待ちの端末装置１００が存在しない場合を例として説明する。
【００９３】
図１４は、撮影権管理テーブル３２４の例を示す図である。図１４（Ａ）は、管理サーバ３００がサーバ側手動撮影処理Ｓ２００において撮影権待ちの端末装置１００が存在するか否かを確認（図１１のＳ２００−１）したタイミングの撮影権管理テーブル３２４である。管理サーバ３００は、撮影権待ち順位０に端末装置１００が登録されていないことから、撮影権待ちの端末装置１００が存在しないことを確認する（図１１のＳ２００−１のＮｏ）。
【００９４】
そして、管理サーバ３００は、撮影権管理処理Ｓ２３０において、端末装置１００−１を撮影権待ち順位の最後尾に登録する（図１２のＳ２３０−１）。ここで、図１４（Ａ）より、撮影権待ちの端末装置１００が存在しないため、最後尾は順位０となる。管理サーバ３００は、図１４（Ｂ）に示すように、撮影権待ち順位０に端末装置１００−１を登録する。
【００９５】
管理サーバ３００は、撮影権管理処理Ｓ２３０において、端末装置１００−１に撮影権が付与されるのを待ち受ける（図１２のＳ２３０−２）。管理サーバ３００は、図１４（Ｂ）より、端末装置１００−１の撮影権待ち順位が順位０であるため、端末装置１００−１に撮影権が付与されたことを確認し（図１２のＳ２３０−２のＹｅｓ）、端末装置１００−１に撮影開始通知を送信し（Ｓ１０、図１２のＳ２３０−３）、撮影権管理処理Ｓ２３０を終了する。
【００９６】
そして、管理サーバ３００は、手動撮影制御処理Ｓ２３１において、プレビュー送信開始通知を撮影装置２００−１に送信する（Ｓ１０６、図１３のＳ２３１−１）。
【００９７】
端末装置１００−１は、手動撮影モードを含む撮影情報通知を受信すると、端末側手動撮影処理を行う（Ｓ２１０）。
【００９８】
図１５は、端末側手動撮影処理Ｓ２１０の処理フローチャートの例を示す図である。端末装置１００は、撮影開始指示を受信するのを待ち受ける（Ｓ２１０−１のＮｏ）。端末装置１００は、撮影開始指示を受信すると（Ｓ２１０−１のＹｅｓ）、端末側プレビュー処理Ｓ２１１、ボタン制御処理Ｓ２１２、ビーコン監視処理Ｓ２１３、及び撮影停止指示待ち処理Ｓ１２４を、並列で実行する。
【００９９】
図１６は、端末側プレビュー処理Ｓ２１１の処理フローチャートの例を示す図である。端末装置１００は、端末側手動撮影処理Ｓ２０１において、プレビュー画像を取得するのを待ち受ける（Ｓ２１１−１のＮｏ）。プレビュー画像は、例えば、管理サーバ３００を経由し、撮影装置２００が送信するプレビュー画像通知を受信することで取得する。
【０１００】
端末装置１００は、プレビュー画像を取得すると（Ｓ２１１−１のＹｅｓ）、表示部（タッチパネル１６０）に取得したプレビュー画像を表示し（Ｓ２１１−２）、再度プレビュー画像の取得を待ち受ける（Ｓ２１１−１）。
【０１０１】
図１７は、ボタン制御処理Ｓ２１２の処理フローチャートの例を示す図である。端末装置１００は、端末側手動撮影処理Ｓ２０１において、撮影ボタンを操作部（タッチパネル１６０）に表示する（Ｓ２１２−１）。撮影ボタンは、ユーザ１０００が映像（例えば、写真）を撮影したいタイミングで押下することを想定したボタンであり、初期状態はＯＦＦ状態（押下前の状態）である。
【０１０２】
そして、端末装置１００は、撮影ボタンがＯＮ状態になるのを待ち受ける（Ｓ２１２−２のＮｏ）。端末装置１００は、撮影ボタンがＯＮ状態になると（Ｓ２１２−２のＹｅｓ）、撮影契機を検出したと判定し、撮影指示を管理サーバ３００に送信する（Ｓ２１２−３）。そして、端末装置１００は、再度撮影ボタンをＯＦＦ状態にする（Ｓ２１２−１）。なお、端末装置１００は、再度撮影ボタンをＯＦＦ状態にする処理の前に、所定時間経過するのを待ち、連続で撮影されることを防止してもよい。
【０１０３】
図１８は、ビーコン監視処理Ｓ２１３の処理フローチャートの例を示す図である。端末装置１００は、監視対象のビーコン４００の信号を受信するのを待ち受ける（Ｓ２１３−１のＮｏ）。監視対象のビーコン４００は、送信した撮影情報要求に含まれるビーコン４００である。
【０１０４】
端末装置１００は、ビーコン４００の信号を受信すると（Ｓ２１３−１のＹｅｓ）、受信電力が撮影終了閾値未満か否かを確認する（Ｓ２１３−２）。撮影終了閾値は、例えば、撮影装置２００の撮影範囲に基づく電力である。
【０１０５】
端末装置１００は、受信電力が撮影終了閾値以上である場合（Ｓ２１３−２のＮｏ）、再度監視対象のビーコン４００の信号の受信を待ち受ける（Ｓ２１３−１）。
【０１０６】
一方、端末装置１００は、受信電力が撮影終了閾値未満である場合（Ｓ２１３−２のＹｅｓ）、撮影終了通知を管理サーバ３００に送信する（Ｓ２１３−３）。そして、端末装置１００は、端末側プレビュー処理Ｓ２１１、ボタン制御処理Ｓ２１２、及び撮影停止指示待ち処理Ｓ１２４を終了し、処理を終了する。
【０１０７】
図１９は、撮影停止指示待ち処理Ｓ１２４の処理フローチャートの例を示す図である。管理サーバ３００は、撮影停止指示を受信するのを待ち受ける（Ｓ２１４−１のＮｏ）。管理サーバ３００は、撮影停止指示を受信すると（Ｓ２１４−１のＹｅｓ）、端末側プレビュー処理Ｓ２１１、ボタン制御処理Ｓ２１２、及びビーコン監視処理Ｓ１２３を終了し、処理を終了する。
【０１０８】
図１０のシーケンスに戻り、端末装置１００は、端末側手動撮影処理Ｓ２１０において、ボタン制御処理Ｓ２１２を行い、タッチパネル１６０に撮影ボタンを表示する（図１７のＳ２１２−１）。
【０１０９】
撮影装置２００−１は、プレビュー送信開始通知を受信すると、プレビュー画像送信処理を行い（Ｓ２２０）、プレビュー画像を含むプレビュー画像通知を定期的に送信する（Ｓ１０７、Ｓ１０９）。
【０１１０】
管理サーバ３００は、手動撮影制御処理Ｓ２３１において、プレビュー画像通知を受信すると（図１３のＳ２３１−５のプレビュー画像通知）、受信したプレビュー画像通知を端末装置１００−１に送信する（Ｓ１０８、Ｓ１１０、図１３のＳ２３１−６）。
【０１１１】
端末装置１００−１は、端末側手動撮影処理Ｓ２１０の端末側プレビュー処理Ｓ２１１において、プレビュー画像通知を受信すると、受信したプレビュー画像通知に含まれるプレビュー画像を、タッチパネル１６０に表示する(図１６のＳ２１１−２)。
【０１１２】
そして、端末装置１００−１は、ボタン制御処理Ｓ２１２において、撮影ボタンが押下されていること（ＯＮ状態となっていること）を検出し（図１７のＳ２１２−２のＹｅｓ）、撮影指示を管理サーバ３００に送信する（Ｓ１１１、図１７のＳ２１２−３）。
【０１１３】
管理サーバ３００は、手動撮影制御処理Ｓ２３１において、撮影指示を受信すると（図１３のＳ２３１−５の撮影指示）、撮影指示を対応する撮影装置２００−１に送信する（Ｓ１１２、図１３のＳ２３１−７）。
【０１１４】
以降、端末装置１００−１は、撮影ボタンの押下を検出するごとに、処理Ｓ１１３を繰り返す。
【０１１５】
手動撮影モードにおいては、例えば、端末装置１００に表示されるプレビュー画像を見たユーザ１０００が、映像（例えば、写真）を撮影したいタイミングで撮影ボタンを押下する。これにより、端末装置１００から撮影指示が送信され、プレビュー画像を撮影した時間と近似する時間の映像を撮影することができる。
【０１１６】
また、撮影権を有する端末装置１００のみがプレビュー画像を取得し、撮影を許可されることで、他ユーザに撮影されることを防止できる。
【０１１７】
＜２．１．２  手動撮影モード終了処理＞
図２０は、ビーコン監視処理Ｓ２１３による、手動撮影モードの終了処理の例を示す図である。端末装置１００−１は、ビーコン監視処理Ｓ２１３において、ビーコン４００−１の信号の受信電力が、撮影終了閾値未満となったことを検出すると（図１８のＳ２１３−２のＹｅｓ）、撮影終了通知を管理サーバ３００に送信する（Ｓ１１５、図１８のＳ２１３−３）。
【０１１８】
管理サーバ３００は、手動撮影制御処理Ｓ２３１において、撮影終了通知を受信すると（図１３のＳ２３１−５の撮影終了通知）、撮影権管理テーブル２３４を更新し（図１３のＳ２３１−９）、対応する撮影装置２００−１にプレビュー送信停止通知を送信する（Ｓ１１６、図１３のＳ２３１−１０）。管理サーバ３００は、端末装置１００−１を、撮影権管理テーブル２３４の撮影権待ち順位０から削除し、他の端末装置１００の撮影権待ち順位を１つ繰り上げる。管理サーバ３００は、図１４（Ｃ）に示すように、撮影権管理テーブル３２４から端末装置１００−１を削除し、撮影権待ちの端末装置１００が存在しない状態に更新する。
【０１１９】
撮影装置２００−１は、プレビュー画像送信処理Ｓ２２０において、プレビュー送信停止通知を受信すると、プレビュー画像通知の送信を停止する。これにより、撮影システム１０における手動撮影モード処理が終了する。
【０１２０】
図２１は、撮影タイマ満了による、手動撮影モードの終了処理の例を示す図である。管理サーバ３００は、手動撮影制御処理Ｓ２３１において、撮影タイマが満了すると（Ｓ２１、図１３のＳ２３１−３のＹｅｓ）、端末装置１００−１に撮影終了指示を送信する（Ｓ２２、図１３のＳ２３１−８）。そして、撮影権管理テーブル３２４を更新し（図１３のＳ２３１−９）、プレビュー画像送信停止通知を撮影装置２００−１に送信する（Ｓ２３、図１３のＳ２３１−１０）。管理サーバ３００は、図１４（Ｃ）に示すように、撮影権管理テーブル３２４から端末装置１００−１を削除し、撮影権待ちの端末装置１００が存在しない状態に更新する。
【０１２１】
撮影装置２００−１は、プレビュー画像送信処理Ｓ２２０において、プレビュー送信停止通知を受信すると、プレビュー画像通知の送信を停止する。これにより、撮影システム１０における手動撮影モード処理が終了する。
【０１２２】
管理サーバ３００は、図２０及び図２１に示すように、端末装置１００の手動撮影が終了すると、撮影権管理テーブル３２４を更新し、端末装置１００の撮影権を解放し、撮影権待ちが次順位（順位１）の端末装置１００に撮影権を付与する。これにより、撮影権待ち順位に従い、端末装置１００に撮影権を付与することができる。
【０１２３】
＜２．１．３  撮影権待ちが発生する場合＞
図２２は、手動撮影モード処理のシーケンスの例を示す図である。管理サーバ３００は、撮影モードを手動撮影モードと判定し、手動撮影モードを含む撮影情報通知を端末装置１００−１に送信する（Ｓ１０５）。管理サーバ３００は、撮影情報要求受信処理Ｓ１０３において、サーバ側手動撮影処理Ｓ２００を行う（図８のＳ１０３−４の手動撮影モード）。
【０１２４】
管理サーバ３００は、サーバ側手動撮影処理Ｓ２００において、撮影権待ちの端末装置１００があるか否かを確認する（図１１のＳ２００−１）。図２２のシーケンスにおいては、撮影権待ちの端末装置１００が存在する場合を例として説明する。
【０１２５】
図２３は、撮影権管理テーブル３２４の例を示す図である。図２３（Ａ）は、管理サーバ３００がサーバ側手動撮影処理Ｓ２００において撮影権待ちの端末装置１００が存在するか否かを確認（図１１のＳ２００−１）したタイミングの撮影権管理テーブル３２４である。管理サーバ３００は、撮影権待ち順位０に端末装置１００−２が登録されているため、撮影権待ちの端末装置１００が存在することを確認する（図１１のＳ２００−１のＹｅｓ）。
【０１２６】
管理サーバ３００は、撮影待ち要求確認を当該端末装置１００に送信する（Ｓ１０、図１１のＳ２００−２）。そして、撮影待ち要求確認応答を受信するのを待ち受ける（Ｓ２００−３のＮｏ）。
【０１２７】
端末装置１００−１は、撮影待ち要求確認を受信すると、撮影待ち要求確認処理を行う（Ｓ２１５）。
【０１２８】
図２４は、撮影待ち要求確認処理Ｓ２１５の処理フローチャートの例を示す図である。端末装置１００は、撮影待ち要求確認に含まれる撮影待ち時間を取得し、表示部に表示する。そして、撮影待ち要求選択ボタンを操作部に表示する。撮影待ち要求選択ボタンは、例えば、「待つ」又は「中止」を、ユーザに選択させるためのボタンである。「待つ」は、表示された撮影待ち時間の経過を待って手動撮影を行うことを選択するボタンであり、「中止」は、手動撮影を行わずに、撮影を中止することを選択するボタンである。
【０１２９】
端末装置１００は、撮影待ち要求確認ボタンが押下される（「待つ」又は「中止」のどちらかが選択される）のを待ち受ける（Ｓ２１５−３のＮｏ）。そして、端末装置１００は、撮影待ち要求確認ボタンが押下されると（Ｓ２１５−３のＹｅｓ）、撮影待ち要求ボタンで選択された内容を確認する（Ｓ２１５−４）。
【０１３０】
端末装置１００は、「待つ」が選択されている場合、撮影待ち要求があると判定し（Ｓ２１５−４のＹｅｓ）、撮影待ち要求ありを含む撮影待ち要求応答を、管理サーバ３００に送信し（Ｓ２１５−５）、処理を終了する。一方、端末装置１００は、「中止」が選択されている場合、撮影待ち要求がないと判定し（Ｓ２１５−４のＮｏ）、撮影待ち要求なしを含む撮影待ち要求応答を、管理サーバ３００に送信し（Ｓ２１５−６）、処理を終了する。
【０１３１】
図２２のシーケンスに戻り、端末装置１００−１は、撮影待ち要求確認処理Ｓ２１５において、撮影を行うか中止するかを、ユーザに選択させる（図２４のＳ２１５−２）。図２２のシーケンスは、ユーザが「待つ」を選択した場合の例を示す図である。端末装置１００−１は、撮影待ち要求確認処理Ｓ２１５において、撮影待ち要求ありを含む撮影待ち要求応答を管理サーバ３００に送信する（Ｓ３０、図２４のＳ２１５−５）。
【０１３２】
管理サーバ３００は、サーバ側手動撮影処理Ｓ２００において、撮影待ち要求ありを含む撮影待ち要求応答を受信すると（図１１のＳ２００−３のＹｅｓ、Ｓ２００−４のＮｏ）、撮影権管理処理を行う（Ｓ２３０）。
【０１３３】
管理サーバ３００は、撮影権管理処理Ｓ２３０において、端末装置１００−１を撮影権待ち順位の最後尾に登録する（図１２のＳ２３０−１）。ここで、図２３（Ａ）より、撮影権待ち順位０に端末装置１００−２が存在し、撮影権待ち順位１に端末装置１００が存在しないので、最後尾は順位１となる。管理サーバ３００は、図２３（Ｂ）に示すように、撮影権待ち順位１に端末装置１００−１を登録する。
【０１３４】
管理サーバ３００は、撮影権管理処理Ｓ２３０において、端末装置１００−１に撮影権が付与されるのを待ち受ける（図１２のＳ２３０−２）。管理サーバ３００は、撮影権管理テーブル３２４が、図２３（Ｂ）の状態から図２３（Ｃ）の状態に遷移するまで、撮影権取得待ちとなる（Ｓ３１）。
【０１３５】
管理サーバ３００は、端末装置１００−２の手動撮影が終了し、撮影権管理テーブル３２４の端末装置１００−２が削除され、端末装置１００−１の撮影権待ち順位が順位０になると（図１２のＳ２３０−２のＹｅｓ）、端末装置１００−１の撮影権を取得し（Ｓ３２）、撮影時間を含む撮影開始通知を端末装置１００−１に送信する（Ｓ３３、図１２のＳ２３０−３）。
【０１３６】
そして、管理サーバ３００は、手動撮影制御処理Ｓ２３１において、プレビュー送信開始通知を撮影装置２００−１に送信する（Ｓ１０６、図１３のＳ２３１−１）。以降の処理は、図１０のシーケンスと同様である。
【０１３７】
第１の実施の形態では、撮影権を取得した端末装置１００のみがプレビュー画像を表示したり、撮影したりすることができる。これにより、自身の映像を他人に撮影されることを防止することができる。また、端末装置１００のユーザは、撮影権の取得待ちが発生するが、撮影権の取得を待つか、撮影を中止するかを画面操作で入力することで、ユーザの要望に応じた撮影権の取得待ちが可能となる。
【０１３８】
＜２．１．４  撮影を中止する場合＞
図２５は、手動撮影モード処理のシーケンスの例を示す図である。管理サーバ３００は、撮影モードを手動撮影モードと判定し、手動撮影モードを含む撮影情報通知を端末装置１００−１に送信する（Ｓ１０５）。管理サーバ３００は、撮影情報要求受信処理Ｓ１０３において、サーバ側手動撮影処理Ｓ２００を行う（図８のＳ１０３−４の手動撮影モード）。
【０１３９】
管理サーバ３００は、サーバ側手動撮影処理Ｓ２００において、撮影権待ちの端末装置１００があるか否かを確認する（図１１のＳ２００−１）。図２５のシーケンスにおいては、図２２のシーケンスと同様に、撮影権待ちの端末装置１００が存在する場合を例として説明する。撮影権管理テーブル３２４は、図２３（Ａ）の状態である。
【０１４０】
端末装置１００−１は、撮影待ち要求確認処理Ｓ２１５において、撮影を行うか中止するかを、ユーザに選択させる（図２４のＳ２１５−２）。図２５のシーケンスは、ユーザが「中止」を選択した場合の例を示す図である。端末装置１００−１は、撮影待ち要求確認処理Ｓ２１５において、撮影待ち要求なしを含む撮影待ち要求応答を管理サーバ３００に送信する（Ｓ４０、図２４のＳ２１５−６）。
【０１４１】
管理サーバ３００は、サーバ側手動撮影処理Ｓ２００において、撮影待ち要求なしを含む撮影待ち要求応答を受信すると（図１１のＳ２００−３のＹｅｓ、Ｓ２００−４のＹｅｓ）、処理を終了する。
【０１４２】
＜２．２  自動撮影モード処理＞
図２６は、自動撮影モード処理のシーケンスの例を示す図である。自動撮影モードは、端末装置１００が対象のビーコン４００から所定距離内に移動したとき（ビーコン４００の信号の受信電力が所定以上になったとき）に、ユーザ１０００の操作なしに、撮影を行う処理である。自動撮影モードにおいて、撮影タイミング（撮影契機）は、端末装置１００におけるビーコン４００の信号の受信電力に基づき、決定される。
【０１４３】
管理サーバ３００は、撮影モードを自動撮影モードと判定し、自動撮影モードを含む撮影情報通知を端末装置１００に送信する（Ｓ１０５）。管理サーバ３００は、撮影情報要求受信処理Ｓ１０３において、サーバ側自動撮影処理Ｓ３００を行う（図８のＳ１０３−４の自動撮影モード）。
【０１４４】
図２７は、サーバ側自動撮影処理Ｓ３００の処理フローチャートの例を示す図である。管理サーバ３００は、メッセージを受信するのを待ち受ける（Ｓ３００−１のＮｏ）。
【０１４５】
管理サーバ３００は、メッセージを受信すると（Ｓ３００−１のＹｅｓ）、受信したメッセージの種別を確認する（Ｓ３００−２）。
【０１４６】
管理サーバ３００は、撮影指示を受信した場合（Ｓ３００−２の撮影指示）、対応する撮影装置２００に撮影指示を送信する（Ｓ３００−３）。そして、管理サーバ３００は、再度メッセージの受信待ちとなる（Ｓ３００−１）。
【０１４７】
一方、管理サーバ３００は、撮影終了通知を受信した場合（Ｓ３００−２の撮影終了通知）、処理を終了する。
【０１４８】
図２６のシーケンスに戻り、端末装置１００は、自動撮影モードを含む撮影情報通知を受信すると、端末側自動撮影処理を行う（Ｓ３１０）。
【０１４９】
図２８は、端末側自動撮影処理Ｓ３１０の処理フローチャートの例を示す図である。端末装置１００は、端末側自動撮影処理Ｓ３１０において、自動撮影タイミング検出処理Ｓ３１１、及びビーコン監視処理Ｓ２１３を、並列で実行する。なお、ビーコン監視処理Ｓ２１３は、図１８に示すビーコン監視処理Ｓ２１３と同様の処理フローチャートである。
【０１５０】
図２９は、自動撮影タイミング検出処理Ｓ３１１の処理フローチャートの例を示す図である。端末装置１００は、対象ビーコンの信号を受信するのを待ち受ける（Ｓ３１１−１のＮｏ）。対象ビーコンとは、自動撮影を行う撮影装置２００に対応するビーコン４００であり、例えば、送信した撮影情報要求に含まれるビーコン４００である。
【０１５１】
端末装置１００は、対象ビーコンの信号を受信すると（Ｓ３１１−１のＹｅｓ）、受信電力が自動撮影閾値以上か否かを判定する（Ｓ３１１−２）。端末装置１００は、受信電力が自動撮影閾値未満であると判定した場合（Ｓ３１１−２のＮｏ）、再度対象ビーコンの信号の受信待ちとなる（Ｓ３１１−１）。
【０１５２】
一方、端末装置１００は、受信電力が自動撮影閾値以上であると判定した場合（Ｓ３１１−２のＹｅｓ）、撮影指示を管理サーバ３００に送信する（Ｓ３１１−３）。そして、撮影インターバルタイマを起動する（Ｓ３１１−４）。撮影インターバルタイマのタイマ値は、撮影インターバル時間である。撮影インターバルタイマは、自動撮影モードにおいて、端末装置１００が短時間に連続して撮影指示を送信することを防止するためのタイマであり、撮影インターバルタイマの起動中は、端末装置１００から撮影指示は送信されない。
【０１５３】
端末装置１００は、撮影インターバルタイマがタイムアウト（満了）するのを待ち受ける（Ｓ３１１−５のＮｏ）。そして、端末装置１００は、撮影インターバルタイマがタイムアウトすると（Ｓ３１１−５のＹｅｓ）、再度対象ビーコンの信号の受信を待ち受ける（Ｓ３１１−１）。
【０１５４】
図２６のシーケンスに戻り、端末装置１００は、端末側自動撮影処理Ｓ３１０において、自動撮影タイミング検出処理Ｓ３１１を行う。端末装置１００は、自動撮影タイミング検出処理Ｓ３１１において、ビーコン４００−１の信号の受信電力が、自動撮影閾値以上になったことを検出すると（Ｓ１１７）、撮影指示を管理サーバ３００に送信する（Ｓ１１８、図２９のＳ３１１−３）。そして、端末装置１００は、自動撮影タイミング検出処理Ｓ３１１において、撮影インターバルタイマを起動する（Ｓ１１９、図２９のＳ３１１−４）。
【０１５５】
管理サーバ３００は、サーバ側自動撮影処理Ｓ３００において、撮影指示を受信すると（図２７のＳ３００−２）、撮影指示を対応する撮影装置２００−１に送信する（Ｓ１２０、図２７のＳ３００−３）。
【０１５６】
撮影装置２００−１は、撮影指示を受信すると、撮影処理Ｓ２２１を行い、ユーザ１０００の映像を撮影する。なお、撮影処理Ｓ２２１は、手動撮影モード処理における撮影処理Ｓ２２１と同様の処理である。
【０１５７】
端末装置１００は、撮影インターバルタイマがタイムアウトすると（Ｓ１２１、図２９のＳ３１１−５のＹｅｓ）、ビーコン４００−１の信号を受信する。そして、端末装置１００は、ビーコン４００−１の信号の受信電力が、自動撮影閾値以上になったことを検出すると（Ｓ１２２）、撮影指示を管理サーバ３００に送信する（Ｓ１２３、図２９のＳ３１１−３）。そして、端末装置１００は、自動撮影タイミング検出処理Ｓ３１１において、撮影インターバルタイマを起動する（Ｓ１２４、図２９のＳ３１１−４）。
【０１５８】
管理サーバ３００は、サーバ側自動撮影処理Ｓ３００において、撮影指示を受信すると（図２７のＳ３００−２）、撮影指示を対応する撮影装置２００−１に送信する（Ｓ１２５、図２７のＳ３００−３）。撮影装置２００−１は、撮影指示を受信すると、撮影処理Ｓ２２１を行い、ユーザ１０００の映像を撮影する。
【０１５９】
自動撮影モードにおいては、例えば、端末装置１００は、自動撮影閾値以上の受信電力でビーコン４００の信号を受信する範囲に位置する場合、撮影インターバルタイマの時間間隔で撮影指示を送信する。ビーコン４００の信号の受信電力は、ビーコン４００と端末装置１００の距離が近い程、高い電力となる。これにより、自動撮影モードでは、端末装置１００とビーコン４００との距離が近い場合に、ユーザ１０００の操作なしに撮影することができる。
【０１６０】
図３０は、自動撮影モードの終了処理の例を示す図である。端末装置１００は、ビーコン監視処理Ｓ２１３において、ビーコン４００−１の信号の受信電力が、撮影終了閾値未満となったことを検出すると（図１８のＳ２１３−２のＹｅｓ）、撮影終了通知を管理サーバ３００に送信する（Ｓ１１５、図１８のＳ２１３−３）。
【０１６１】
管理サーバ３００は、サーバ側自動撮影処理Ｓ３００において、撮影終了通知を受信すると（図２７のＳ３００−２の撮影終了通知）、処理を終了する。これにより、撮影システム１０における自動撮影モード処理が終了する。
【０１６２】
［第２の実施の形態］
第２の実施の形態について説明する。
【０１６３】
第２の実施の形態において、手動撮影モードにおける撮影権は、独占ありと独占なしに分類される。独占ありの撮影権は、他のユーザ（端末装置１００）にプレビュー画像を表示させず、なおかつ撮影をさせない、当該端末装置１００のみが独占的に撮影を行う権利である。一方、独占なしの撮影権は、他のユーザ（端末装置１００）にプレビュー画像を表示させること及び撮影を許可する撮影権である。
【０１６４】
独占ありの撮影権を持つ端末装置１００が撮影している間は、他の端末装置１００は撮影できないため、端末装置１００のユーザは他の端末装置に撮影されることを防止できる。一方、独占なしの撮影権を持つ端末装置１００が撮影している間は、複数の端末装置１００が同時に撮影を行うことができる。
【０１６５】
＜手動撮影モード処理＞
第２の実施の形態におけるシーケンスは、撮影権待ちが発生しない場合は図１０のシーケンス、撮影権待ちが発生する場合は図２２のシーケンスと同様のシーケンスとなる。なお、第２の実施の形態においては、図２２のＳ２１５はＳ３１５に置き換えられ、図２２のＳ２３０はＳ３３０に置き換えられるものとする。以下、図２２のシーケンスを例として説明する。また、第２の実施の形態では、端末装置１００−１のユーザが独占ありを要求する場合と、独占なしを要求する場合のそれぞれについて説明する。
【０１６６】
＜独占ありの場合＞
管理サーバ３００は、撮影モードを手動撮影モードと判定し、手動撮影モードを含む撮影情報通知を端末装置１００−１に送信する（Ｓ１０５）。管理サーバ３００は、撮影情報要求受信処理Ｓ１０３において、サーバ側手動撮影処理Ｓ２００を行う（図８のＳ１０３−４の手動撮影モード）。
【０１６７】
管理サーバ３００は、サーバ側手動撮影処理Ｓ２００において、撮影権待ちの端末装置１００があるか否かを確認する（図１１のＳ２００−１）。
【０１６８】
図３１は、撮影権管理テーブル３２４の例を示す図である。第２の実施の形態における管理サーバ３００は、撮影権待ちを、独占ありの撮影権と独占なしの撮影権に分別して管理する。
【０１６９】
管理サーバ３００は、図３１に示すよう、独占ありの撮影権を有する端末装置１００が撮影する期間（期間Ｔ１及びＴ３）と、独占なしの撮影権を有する端末装置１００が撮影する期間（期間Ｔ２及びＴ４）が交互に到来するよう制御する。独占ありの撮影権を有する端末装置１００が撮影する独占撮影する期間（以降、独占撮影期間と呼ぶ場合がある）と、独占なしの撮影権を有する端末装置１００が非独占撮影する期間（以降、非独占撮影期間と呼ぶ場合がある）は、同じ時間であってもよいし、異なる時間であってもよい。
【０１７０】
図３１（Ａ）は、管理サーバ３００が撮影情報通知（手動撮影モード）を送信したときの撮影権管理テーブル３２４である。図３１（Ａ）は、独占撮影期間Ｔ１において、端末装置１００−２が独占ありの撮影権を有し、端末装置１００−２が撮影していることを示す。管理サーバ３００は、独占ありの撮影権を端末装置１００−１に付与するまでの撮影待ち時間と、独占なしの撮影権を端末装置１００−１に付与するまでの撮影待ち時間を、撮影待ち要求確認に含め、端末装置１００−１に送信する（Ｓ１０、図１１のＳ２００−２）。そして、撮影待ち要求確認応答を受信するのを待ち受ける（Ｓ２００−３のＮｏ）。
【０１７１】
端末装置１００−１は、撮影待ち要求確認を受信すると、撮影待ち要求確認処理を行う（Ｓ３１５）。
【０１７２】
図３２は、第２の実施の形態における撮影待ち要求確認処理Ｓ３１５の処理フローチャートの例を示す図である。端末装置１００は、撮影待ち要求確認に含まれる撮影待ち時間を取得し、表示部に表示する（Ｓ３１５−１）。そして、撮影待ち要求選択ボタンを操作部に表示する。撮影待ち要求選択ボタンは、例えば、「独占あり」「独占なし」又は「中止」を、ユーザに選択させるためのボタンである。「独占あり」は、表示された独占ありの撮影権の撮影待ち時間の経過を待って手動撮影を行うことを選択するボタンである。「独占なし」は、表示された独占なしの撮影権の撮影待ち時間の経過を待って手動撮影を行うことを選択するボタンである。「中止」は、手動撮影を行わずに、撮影を中止することを選択するボタンである。
【０１７３】
端末装置１００は、撮影待ち要求確認ボタンが押下される（「独占あり」「独占なし」又は「中止」のいずれかが選択される）のを待ち受ける（Ｓ３１５−３のＮｏ）。そして、端末装置１００は、撮影待ち要求確認ボタンが押下されると（Ｓ３１５−３のＹｅｓ）、撮影待ち要求ボタンで選択された内容を確認する（Ｓ３１５−４）。
【０１７４】
端末装置１００は、「独占あり」が選択されている場合、独占ありの撮影権を待つ撮影待ち要求があると判定し（Ｓ３１５−４の独占あり）、独占ありを含む撮影待ち要求応答を、管理サーバ３００に送信し（Ｓ３１５−５）、処理を終了する。また、端末装置１００は、「独占なし」が選択されている場合、独占なしの撮影権を待つ撮影待ち要求があると判定し（Ｓ３１５−４の独占なし）、独占なしを含む撮影待ち要求応答を、管理サーバ３００に送信し（Ｓ３１５−６）、処理を終了する。一方、端末装置１００は、「中止」が選択されている場合、撮影待ち要求がないと判定し（Ｓ３１５−４の中止）、撮影待ち要求なしを含む撮影待ち要求応答を、管理サーバ３００に送信し（Ｓ３１５−７）、処理を終了する。
【０１７５】
図２２のシーケンスに戻り、端末装置１００−１は、撮影待ち要求確認処理Ｓ３１５において、独占あり撮影、独占なしの撮影、又は中止するかを、ユーザに選択させる（図３２のＳ３１５−２）。ここでは、ユーザが「独占あり」を選択した場合を例として説明する。
【０１７６】
端末装置１００−１は、撮影待ち要求確認処理Ｓ３１５において、独占ありを含む撮影待ち要求応答を管理サーバ３００に送信する（Ｓ３０、図３２のＳ３１５−５）。
【０１７７】
管理サーバ３００は、サーバ側手動撮影処理Ｓ２００において、独占ありを含む撮影待ち要求応答を受信すると（図１１のＳ２００−３のＹｅｓ、Ｓ２００−４のＮｏ）、撮影権管理処理を行う（Ｓ３３０）。
【０１７８】
図３３は、第２の実施の形態における撮影権管理処理Ｓ３３０の処理フローチャートの例を示す図である。管理サーバ３００は、当該端末装置１００の要求が独占ありか否かを確認する（Ｓ３３０−１）。管理サーバ３００は、当該端末装置１００の要求が独占ありの場合（Ｓ３３０−１のＹｅｓ）、独占ありの撮影権待ち順位の最後尾に登録する（Ｓ３３０−２）。一方、管理サーバ３００は、当該端末装置１００の要求が独占なしの場合（Ｓ３３０−１のＮｏ）、独占なしの撮影権待ち順位の最後尾に登録する（Ｓ３３０−３）。
【０１７９】
そして、管理サーバ３００は、当該端末装置１００に撮影権が付与されるのを待ち受ける（Ｓ３３０−４のＮｏ）。管理サーバ３００は、撮影権管理テーブル３２４を監視し、当該端末装置１００が撮影権ありとなるのを待ち受ける。そして、管理サーバ３００は、当該端末装置１００に撮影権が付与されたことを検出すると（Ｓ３３０−４のＹｅｓ）、当該端末装置１００に撮影開始通知を送信し（Ｓ３３０−５）、処理を終了する。
【０１８０】
図２２のシーケンスに戻り、管理サーバ３００は、撮影権管理処理Ｓ３３０において、端末装置１００−１を独占ありの撮影権待ち順位の最後尾に登録する（図３３のＳ３３０−２）。ここで、図３１（Ａ）より、独占ありの撮影権待ち順位０に端末装置１００−２が、順位１に端末装置１００−３がそれぞれ存在し、順位２に端末装置１００が存在しないので、最後尾は順位２となる。管理サーバ３００は、独占ありの撮影権待ち順位２に端末装置１００−１を登録する。そして、管理サーバ３００は、撮影権管理処理Ｓ３３０において、端末装置１００−１に撮影権が付与されるのを待ち受ける（図３３のＳ３３０−４）。
【０１８１】
独占撮影期間Ｔ１が終了すると、非独占撮影期間Ｔ２に遷移する。図３１（Ｂ）は、非独占撮影期間Ｔ２における、撮影権管理テーブル３２４の例を示す図である。図３１（Ｂ）に示すように、端末装置１００−２は撮影を終了し、撮影権管理テーブル３２４から削除され、独占なしの撮影権を待つ端末装置１００−４及び１００−５に撮影権が付与される。すなわち、非独占撮影期間Ｔ２においては、端末装置１００−４及び５が、独占なしの撮影を行う。
【０１８２】
非独占撮影期間Ｔ２が終了すると、独占撮影期間Ｔ３に遷移する。図３１（Ｃ）は、独占撮影期間Ｔ３における、撮影権管理テーブル３２４の例を示す図である。図３１（Ｃ）に示すように、端末装置１００−４及び５は撮影を終了し、撮影権管理テーブル３２４から削除され、独占ありの撮影権を待つ端末装置１００−３に撮影権が付与される。すなわち、独占撮影期間Ｔ３においては、端末装置１００−３が、独占ありの撮影を行う。
【０１８３】
独占撮影期間Ｔ３が終了すると、非独占撮影期間Ｔ３に遷移する。図３１（Ｄ）は、非独占撮影期間Ｔ４における、撮影権管理テーブル３２４の例を示す図である。図３１（Ｄ）に示すように、端末装置１００−３は撮影を終了し、撮影権管理テーブル３２４から削除される。そして、本来なら独占なしの撮影権を待つ端末装置１００に撮影権が付与されるが、独占なしの撮影権を待つ端末装置１００は存在しない。そこで、管理サーバ３００は、独占ありの撮影権を待つ端末装置１００−１に独占ありの撮影権を付与する。そして、管理サーバ３００は、元来は非独占撮影期間であった期間Ｔ４を、独占撮影期間Ｔ４とし、端末装置１００−１が独占して撮影を行う期間とする。
【０１８４】
管理サーバ３００は、撮影権管理処理Ｓ３３０において、端末装置１００−１に撮影権が付与されたことを検出し（Ｓ３２、図３３のＳ３３０−４のＹｅｓ）、撮影時間を含む撮影開始通知を端末装置１００−１に送信する（Ｓ３３、図３３のＳ３３０−５）。
【０１８５】
そして、管理サーバ３００は、手動撮影制御処理Ｓ２３１において、プレビュー送信開始通知を撮影装置２００−１に送信する（Ｓ１０６、図１３のＳ２３１−１）。以降の処理は、第１の実施の形態で説明した、図２２のシーケンスにおける処理と同様である。
【０１８６】
＜独占なしの場合＞
管理サーバ３００は、撮影モードを手動撮影モードと判定し、手動撮影モードを含む撮影情報通知を端末装置１００−１に送信する（Ｓ１０５）。管理サーバ３００は、撮影情報要求受信処理Ｓ１０３において、サーバ側手動撮影処理Ｓ２００を行う（図８のＳ１０３−４の手動撮影モード）。
【０１８７】
管理サーバ３００は、サーバ側手動撮影処理Ｓ２００において、撮影権待ちの端末装置１００があるか否かを確認する（図１１のＳ２００−１）。
【０１８８】
図３４は、撮影権管理テーブル３２４の例を示す図である。図３４（Ａ）（図３１（Ａ）と同じ）は、管理サーバ３００が撮影情報通知（手動撮影モード）を送信したときの撮影権管理テーブル３２４である。管理サーバ３００は、独占ありの撮影権を端末装置１００−１に付与するまでの撮影待ち時間と、独占なしの撮影権を端末装置１００−１に付与するまでの撮影待ち時間を、撮影待ち要求確認に含め、端末装置１００−１に送信する（Ｓ１０、図１１のＳ２００−２）。そして、撮影待ち要求確認応答を受信するのを待ち受ける（Ｓ２００−３のＮｏ）。
【０１８９】
端末装置１００−１は、撮影待ち要求確認を受信すると、撮影待ち要求確認処理を行う（Ｓ３１５）。そして、端末装置１００−１は、ユーザに独占なしを選択され、独占なしを含む撮影待ち要求応答を管理サーバ３００に送信する（Ｓ３０、図３２のＳ３１５−６）。
【０１９０】
管理サーバ３００は、サーバ側手動撮影処理Ｓ２００において、独占なしを含む撮影待ち要求応答を受信すると（図１１のＳ２００−３のＹｅｓ、Ｓ２００−４のＮｏ）、撮影権管理処理を行う（Ｓ３３０）。
【０１９１】
管理サーバ３００は、撮影権管理処理Ｓ３３０において、端末装置１００−１を独占なしの撮影権待ち順位の最後尾に登録する（図３３のＳ３３０−３）。ここで、図３４（Ａ）より、独占なしの撮影権待ち順位０に端末装置１００は存在しないが、順位１に端末装置１００−４及び５が存在するため、最後尾は順位１となる。
【０１９２】
独占ありの撮影権待ち順位の最後尾は、上述したように、撮影権待ちの端末装置１００が存在する最も遅い（大きい）順位の次の順位であるが、独占なしの撮影権待ち順位の最後尾は、常に順位１となる。独占なしの撮影権は複数の端末装置１００に対して同時に付与されるため、端末装置１００は、次の独占なしの撮影権が付与されるタイミング、すなわち、順位１に登録されればよい。
【０１９３】
管理サーバ３００は、独占なしの撮影権待ち順位１に端末装置１００−１を登録（追加）する。そして、管理サーバ３００は、撮影権管理処理Ｓ３３０において、端末装置１００−１に撮影権が付与されるのを待ち受ける（図３３のＳ３３０−４）。
【０１９４】
独占撮影期間Ｔ１が終了すると、非独占撮影期間Ｔ２に遷移する。図３４（Ｂ）は、非独占撮影期間Ｔ２における、撮影権管理テーブル３２４の例を示す図である。図３４（Ｂ）に示すように、端末装置１００−２は撮影を終了し、撮影権管理テーブル３２４から削除され、独占なしの撮影権を待つ端末装置１００−４、１００−５、及び１００−１に撮影権が付与される。すなわち、非独占撮影期間Ｔ２においては、端末装置１００−４、１００−５、及び１００−１が、独占なしの撮影を行う。
【０１９５】
管理サーバ３００は、撮影権管理処理Ｓ３３０において、端末装置１００−１に撮影権が付与されたことを検出し（Ｓ３２、図３３のＳ３３０−４のＹｅｓ）、撮影時間を含む撮影開始通知を端末装置１００−１に送信する（Ｓ３３、図３３のＳ３３０−５）。
【０１９６】
そして、管理サーバ３００は、手動撮影制御処理Ｓ２３１において、プレビュー送信開始通知を撮影装置２００−１に送信する（Ｓ１０６、図１３のＳ２３１−１）。以降の処理は、第１の実施の形態で説明した、図２２のシーケンスにおける処理と同様である。
【０１９７】
以下、図３４（Ｃ）、図３４（Ｄ）のテーブルの遷移について説明する。
【０１９８】
非独占撮影期間Ｔ２が終了すると、独占撮影期間Ｔ３に遷移する。図３４（Ｃ）は、独占撮影期間Ｔ３における、撮影権管理テーブル３２４の例を示す図である。図３４（Ｃ）に示すように、端末装置１００−４、１００−５、及び１００−１は撮影を終了し、撮影権管理テーブル３２４から削除され、独占ありの撮影権を待つ端末装置１００−３に撮影権が付与される。すなわち、独占撮影期間Ｔ３においては、端末装置１００−３が、独占ありの撮影を行う。
【０１９９】
独占撮影期間Ｔ３が終了すると、非独占撮影期間Ｔ３に遷移する。図３１（Ｄ）は、非独占撮影期間Ｔ４における、撮影権管理テーブル３２４の例を示す図である。図３１（Ｄ）に示すように、端末装置１００−３は撮影を終了し、撮影権管理テーブル３２４から削除される。そして、独占あり及び独占なしの撮影権を待つ端末装置１００が存在しないため、撮影権を有する端末装置１００は存在しない状態となる。なお、次に手動撮影が行われるのは、例えば、端末装置１００が撮影情報通知を管理サーバ３００に送信したときである。
【０２００】
第２の実施の形態において、管理サーバ３００は、独占撮影期間と非独占撮影期間を交互に設けることで、独占ありの撮影権を希望しない端末装置１００のユーザに対して、独占ありの撮影権のみを付与する場合と比較して、少ない待ち時間で撮影権を付与することができる。
【０２０１】
［第３の実施の形態］
第３の実施の形態について説明する。
【０２０２】
第３の実施の形態において、撮影システム１０は、独占ありの撮影権のみを付与する撮影装置２００（第１の実施の形態の撮影装置２００）、及び独占ありの撮影権と独占なしの撮影権を交互に付与する撮影装置２００（第２の実施の形態の撮影装置２００）を有する。
【０２０３】
例えば、撮影権待ちの数が多い（例えば、平均６人以上の待ちが発生する）撮影装置２００は、独占ありと独占なしの撮影権を交互に付与する撮影装置２００とする。これにより、端末装置１００の撮影権待ち時間を短縮することができる。
【０２０４】
一方、撮影権待ちの数が少ない（例えば、平均６人未満の待ちが発生する）撮影装置２００は、独占ありの撮影権を交互に付与する撮影装置２００とする。このような撮影装置２００は、撮影権待ちの数が少ないため、端末装置１００の撮影権待ち時間は、撮影権待ちの数が多い撮影装置２００より短い。そこで、撮影装置２００は、独占ありの撮影権のみを付与することで、長時間の撮影権待ち時間を発生させず、他人に撮影されることを防止することができる。
【０２０５】
また、第３の実施の形態において、管理サーバ３００は、端末装置１００（又はユーザ）のランクや、撮影権待ちの端末装置１００の数に応じて、撮影時間を決定する。
【０２０６】
図３５は、撮影時間の例を示す図である。図３５（Ａ）は、端末装置１００（又はユーザ）のランクごとの撮影時間の例を示す図である。ランクは、例えば、端末装置１００のユーザと撮影システム１０の管理者（例えば運用企業）との契約内容（例えば、撮影装置の使用に対して端末装置に発生する対価：端末装置１００のユーザが支払う費用）に応じた数値であり、ランクの数値が大きいユーザ程、より厚遇される。図３５（Ａ）によると、管理サーバ３００は、高ランクのユーザほど撮影時間を長く設定する。
【０２０７】
図３５（Ｂ）は、撮影装置２００における撮影権待ちの端末装置１００の数ごとに撮影時間の例を示す図である。図３５（Ｂ）によると、管理サーバ３００は、撮影権待ちの端末装置１００の数が多い程、撮影時間を短く設定する。これにより、管理サーバ３００は、端末装置１００の撮影権待ちの時間が長時間になることを抑制する。また、図３５（Ｂ）によると、管理サーバ３００は、撮影権待ちの端末装置１００の少ない程、撮影時間を長く設定する。これにより、管理サーバ３００は、撮影権待ちの時間が短時間である場合、撮影時間を長くし、ユーザが撮影する機会を増加させ、ユーザが満足する映像を撮影できる可能性を向上させることができる。
【０２０８】
なお、管理サーバ３００は、ユーザのランクと、撮影権待ちの端末装置１００の数の両方に基づき、撮影時間を決定してもよい。この場合、管理サーバ３００は、例えば、 基本時間に、ユーザのランクに応じた時間、及び撮影権待ち端末装置１００の数に応じた時間を加算することで、撮影時間を決定してもよい。
【０２０９】
以上の第１から第３の実施の形態を含む実施形態に関し、更に以下の付記を開示する。
【０２１０】
（付記１）
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有し、
第１端末装置は、前記撮影範囲に移動したとき、前記撮影装置に撮影させる撮影権の付与を前記制御装置に要求し、
前記制御装置は、前記第１端末装置以外の他の端末装置に前記撮影権を付与していない場合、前記第１端末装置に前記撮影権を付与する
撮影システム。
【０２１１】
（付記２）
前記制御装置は、前記他の端末装置に前記撮影権を付与している場合、前記第１端末装置を前記撮影権の付与待ち順序を示す撮影権待ちリストに記憶し、前記撮影権を付与された前記他の端末装置の前記撮影権が消失したとき、前記撮影権待ちリストに応じた端末装置に前記撮影権を付与する
付記１記載の撮影システム。
【０２１２】
（付記３）
前記制御装置は、前記他の端末装置に前記撮影権を付与してから所定時間が経過したとき、前記撮影権を付与された前記端末装置の前記撮影権を消失させる
付記２記載の撮影システム。
【０２１３】
（付記４）
前記制御装置は、前記撮影権待ちリストに記憶された端末装置の数に応じて前記所定時間を決定する
付記３記載の撮影システム。
【０２１４】
（付記５）
前記制御装置は、前記端末装置のランクに応じて前記所定時間を決定する
付記３記載の撮影システム。
【０２１５】
（付記６）
前記端末装置のランクは、前記撮影を行うことで前記端末装置に発生する対価に応じて決定する
付記５記載の撮影システム。
【０２１６】
（付記７）
前記端末装置は、前記撮影範囲の範囲外に移動したことを検出したとき、前記撮影の終了を前記制御装置に通知し、
前記制御装置は、前記撮影の終了の通知に応答し、前記端末装置の前記撮影権を消失させる
付記２記載の撮影システム。
【０２１７】
（付記８）
前記端末装置は、前記撮影装置に対応するビーコンが送信するビーコン信号を、第１電力値未満の電力で受信したとき、前記撮影範囲の範囲外に移動したことを検出する
付記７記載の撮影システム。
【０２１８】
（付記９）
前記撮影装置は、プレビュー画像を撮影し、前記撮影したプレビュー画像を前記制御装置に送信し、
前記制御装置は、前記プレビュー画像を受信し、前記受信したプレビュー画像を、前記撮影権を付与された端末装置に送信する
付記１記載の撮影システム。
【０２１９】
（付記１０）
前記端末装置は、前記端末装置の操作部に表示した撮影ボタンが押下されたことを、前記撮影契機として検出する
付記１記載の撮影システム。
【０２２０】
（付記１１）
前記制御装置は、１台の端末装置に前記撮影権を付与する独占撮影を行う独占撮影期間と、複数台の端末装置に前記撮影権を付与してもよい非独占撮影を行う非独占撮影期間とを設定し、前記独占撮影の前記撮影権の付与待ち順序を示す独占待ちリストと、前記非独占撮影の前記撮影権の付与待ち順序を示す非独占待ちリストとを管理し、
前記第１端末装置は、前記要求する前記撮影権が、前記独占撮影期間における撮影権か、前記非独占撮影期間における撮影権かを通知し、
前記制御装置は、前記第１端末装置の要求する前記撮影権が前記独占撮影における撮影権である場合、前記独占待ちリストに前記第１端末装置を記憶し、前記第１端末装置の要求する前記撮影権が前記非独占撮影における撮影権である場合、前記非独占待ちリストに前記第１端末装置を記憶し、前記独占撮影期間においては前記独占待ちリストに応じた端末装置に前記撮影権を付与し、前記非独占撮影期間においては前記非独占待ちリストに応じた端末装置に前記撮影権を付与する
付記１記載の撮影システム。
【０２２１】
（付記１２）
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有する撮影システムにおける制御装置であって、
前記撮影装置に撮影させる撮影権を管理する管理部と、
前記端末装置から前記撮影権の付与の要求を受信する受信部と、
前記要求を受信したとき、前記端末装置以外の他の端末装置に前記撮影権を付与していない場合、前記端末装置に前記撮影権を付与する制御部とを有する
制御装置。
【０２２２】
（付記１３）
１台以上の端末装置と、
撮影装置の撮影範囲の範囲内に位置する前記端末装置からの撮影契機に応じて、撮影を実行する前記撮影装置と、
前記端末装置及び前記撮影装置を制御する制御装置とを有する撮影システムにおける撮影方法であって、
第１端末装置は、前記撮影範囲に移動したとき、前記撮影装置に撮影させる撮影権の付与を前記制御装置に要求し、
前記制御装置は、前記第１端末装置以外の他の端末装置に前記撮影権を付与していない場合、前記第１端末装置に前記撮影権を付与する
撮影方法。
【符号の説明】
【０２２３】
１０          ：撮影システム
１００        ：端末装置
１１０        ：ＣＰＵ
１２０        ：ストレージ
１２１        ：ビーコン検出プログラム
１２２        ：撮影情報受信プログラム
１３０        ：メモリ
１５０        ：ＲＦ回路
１６０        ：タッチパネル
２００        ：撮影装置
２１０        ：ＣＰＵ
２２０        ：ストレージ
２２１        ：撮影指示受信プログラム
２２２        ：プレビュー画像送信プログラム
２２３        ：撮影データ送信プログラム
２２４        ：撮影データテーブル
２３０        ：メモリ
２３４        ：撮影権管理テーブル
２６０        ：カメラ
３００        ：管理サーバ
３１０        ：ＣＰＵ
３２０        ：ストレージ
３２１        ：撮影情報要求受信プログラム
３２２        ：撮影情報テーブル
３２３        ：撮影データテーブル
３２４        ：撮影権管理テーブル
３３０        ：メモリ
４００        ：ビーコン
５００        ：通信ネットワーク
６００        ：基地局装置
１０００      ：ユーザ
【図１】
2019062310.tif 000003
【図２】
2019062310.tif 000004
【図３】
2019062310.tif 000005
【図４】
2019062310.tif 000006
【図５】
2019062310.tif 000007
【図６】
2019062310.tif 000008
【図７】
2019062310.tif 000009
【図８】
2019062310.tif 000010
【図９】
2019062310.tif 000011
【図１０】
2019062310.tif 000012
【図１１】
2019062310.tif 000013
【図１２】
2019062310.tif 000014
【図１３】
2019062310.tif 000015
【図１４】
2019062310.tif 000016
【図１５】
2019062310.tif 000017
【図１６】
2019062310.tif 000018
【図１７】
2019062310.tif 000019
【図１８】
2019062310.tif 000020
【図１９】
2019062310.tif 000021
【図２０】
2019062310.tif 000022
【図２１】
2019062310.tif 000023
【図２２】
2019062310.tif 000024
【図２３】
2019062310.tif 000025
【図２４】
2019062310.tif 000026
【図２５】
2019062310.tif 000027
【図２６】
2019062310.tif 000028
【図２７】
2019062310.tif 000029
【図２８】
2019062310.tif 000030
【図２９】
2019062310.tif 000031
【図３０】
2019062310.tif 000032
【図３１】
2019062310.tif 000033
【図３２】
2019062310.tif 000034
【図３３】
2019062310.tif 000035
【図３４】
2019062310.tif 000036
【図３５】
2019062310.tif 000037